(57)【特許請求の範囲】
【請求項１】
離間配置された外桁部材を含んでなる複数の桁部材と、前記外桁部材の間に並設され、それぞれが荷台となる基板を備える外デッキ部材と内デッキ部材とを含んだ複数のデッキ部材とを含んでなるパレットにおいて、前記外桁部材が、平坦な上下壁部を有する本体と、少なくとも前記本体の上壁部に一体に立設されかつ側面において長手方向に沿ってリブが設けられている係止縁と、該係止縁に設けた切欠部により画定される係止突片とを有し、前記デッキ部材が前記係止突片と直交する壁面に該係止突片と係止関係となる突片を有し、前記デッキ部材が前記外桁部材の係止縁の切欠部に叩き込み圧入し、前記外桁部材と前記デッキ部材とを固定関係とさせることを特徴とするパレット。
【請求項２】
前記外桁部材の間に内桁部材が配され、該内桁部材が、平坦な上下壁部を有する本体と、少なくとも前記本体の上壁部に一体に立設されかつ側面において長手方向に沿ってリブが設けられている係止縁と、該係止縁に設けた切欠部により画定される係止突片とを有し、前記デッキ部材が前記係止突片と直交する壁面に該係止突片と係止関係となる突片を有し、前記デッキ部材が前記内桁部材の係止縁の切欠部に叩き込み圧入し、前記内桁部材と前記デッキ部材とを固定関係とさせることを特徴とする請求項１記載のパレット。
【請求項３】
前記係止縁は、少なくとも前記上壁部の長手方向に沿って複数個並列状に配されることを特徴とする請求項１又は２記載のパレット。
【請求項４】
少なくとも前記上壁部上の、前記係止突片の側部において突部が形成され、前記外デッキ部材が前記基板の両側に設けられた中空の台部と、一方の台部の内側面に設けられかつ前記突部と係合する脚片とを備え、前記外デッキ部材の前記突片が他方の台部の内側面に設けられ、前記係止突片に係止することを特徴とする請求項１〜３のいずれか１項に記載のパレット。
【請求項５】
前記内デッキ部材は前記基板の両側に設けられた中空の台部を備え、前記内デッキ部材の前記突片が該対の台部の対向側面に設けられ、前記係止突片に係止することを特徴とする請求項１〜４のいずれか１項に記載のパレット。
【請求項６】
前記係止突片がその側面に円弧状の案内面と、該案内面につづいて形成され、前記突片が係止する係止面と、該係止面を画定する凹部とを備え、左右対称形であることを特徴とする請求項１〜５のいずれか１項に記載のパレット。
【請求項７】
前記デッキ部材は、前記基板より延出する垂下片を有し、該垂下片に形成されたスリットへ前記係止突片を挿入していることを特徴とする請求項１〜６のいずれか１項に記載のパレット。
【発明の詳細な説明】
【０００１】
【発明の属する技術分野】
本発明は、アルミ合金製のパレットに関し、桁部材にデッキ部材を圧入嵌合させているパレットに関する。
【０００２】
【従来の技術】
金属製のパレットとして、対の離間対向した外桁部材間にデッキ部材を並置し、外桁部材の段部に着座したデッキ部材の端部を溶接するものは知られている。
又、この溶接作業を省略するため、段部に垂直係止片を並設し、この係止片に複数の切欠部を形成し、この切欠部にデッキ部材の端部を横方向から嵌め入れて両者を固定関係とさせ、さらに、外桁部材とデッキ部材との上面隣接縁部どうしを一直線状に自動溶接させて両者の結合強度を高めている（特開２０００−２５５５７１号公報）ものも知られている。
【０００３】
特開平９−２２６７６６号公報は、外桁部材のスリットに断面逆Ｕ字状のデッキ部材を嵌着し、外桁部材の側面とデッキ部材の端面とを溶接するパレットを開示する。
【０００４】
【発明が解決しようとする課題】
前述した金属製の従来のパレットは桁部材とデッキ部材との結合に溶接作業を必須としており、パレットの製造工程を複雑にしている。
【０００５】
それ故に、本発明はパレットの製造工程を簡略化しかつ高強度のパレットを提供することを解決すべき課題とする。
【０００６】
【課題を解決するための手段】
本発明は、前述した課題を解決するために、桁部材の少なくとも上面に立設した係止縁にデッキ部材の端部を叩き込み圧入することで固定関係とさせる技術手段を用いる。また、この係止縁にその長手方向に延在する補強リブを設ける。
【０００７】
叩き込み圧入するこの技術手段の採用は、パレットの組立工程が簡便となる。又、従来の如き、一個一個のデッキ部材の外桁部材への横方向からの摺動嵌合という作業を不用とし、複数のデッキ部材を上方より外桁部材又は内桁部材に叩き込む簡便な加工のため、製作効率化と組立作業の能率を高めることができる。さらに係止縁に補強リブを設けることにより、係止縁自体を補強するとともに、桁部材とデッキ部材の係止強度を高めることができる。
【０００８】
本発明によれば、離間配置された外桁部材を含んでなる複数の桁部材と、前記外桁部材の間に並設され、それぞれが荷台となる基板を備える外デッキ部材と内デッキ部材とを含んだ複数のデッキ部材とを含んでなるパレットにおいて、前記外桁部材が、平坦な上下壁部を有する本体と、少なくとも前記本体の上壁部に一体に立設されかつ側面において長手方向に沿ってリブが設けられている係止縁と、該係止縁に設けた切欠部により画定される係止突片とを有し、前記デッキ部材が前記係止突片と直交する壁面に該係止突片と係止関係となる突片を有し、前記デッキ部材が前記外桁部材の係止縁の切欠部に叩き込み圧入し、前記外桁部材と前記デッキ部材とを固定関係とさせることを特徴とするパレットを提供する。
【０００９】
【発明の実施の形態】
図１に示すように、パレット１は、左右の外桁部材２と外桁部材２間に並設されている複数個の外と内デッキ部材３，４、両外桁部材２の中間に配される内桁部材５とを少なくとも有する。
図２は片面を荷台としているが、両面を荷台とするときは、内と外のデッキ部材３，４を、図３に示す如く上下両面に配すればよい。
【００１０】
図４乃至７に外桁部材２を示す。外桁部材２は、平坦な上下壁部６，７と対向側壁部８，８とで画定される中空の本体９と、上壁部６より同じ高さに立設されかつ並列状に配した対の離間した上係止縁１０，１１と、外方の側壁部８よりデッキ部材３，４の高さ相当分上方に延在する上側板１２と、平坦な下壁部７より同じ高さに立設されかつ並列状に配した対の離間した下係止縁１３，１４と、外方の側壁部８よりデッキ部材３，４の高さ相当分下方に延在する下側板１５とを有す。
前記本体９の中空にはその内隅部に一体形成したビス受け部に、図示しない小口蓋をビス止めして本体９の小口を覆う。
【００１１】
上下係止縁１０，１１，１３，１４には、図７に示すような切欠部１６，１７が複数個離間して設けられる。その結果、切欠部１６，１７間には、円弧状の案内面１８、案内面１８につづく係止面１９、凹部２０、係止面１９と向かい合う突部２１とが左右対称に配される係止突片２２が離間して複数個設けられる。
図２のような片面荷台のパレット１では、下係止縁１３，１４の係止突片２２を両端部と中央部の３ヶ所設けるが、図３のような両面荷台のパレットでは上下係支縁１０，１１，１３，１４に前記した切欠部１６，１７を上下に対称に構成する場合と、又は、図５の上部に示すものと同じ形状の係止突片２２を下係止縁１３，１４の両端部分と中央部分のみに設ける場合の何れでも良い。
上下係止縁１０，１１，１３，１４には、その向かい合う側面中央部に補強リブ２３を一体に形成する。補強リブ２３は上下係止縁の長手方向に延在し上下係止縁自体の補強とデッキ部材３，４の係止強度を高めている。
【００１２】
内桁部材５の断面形状を図８に示す。側壁部２８，２９と上下壁６，７とで中空の本体５を構成し、補強リブ２３付きの上下係止縁２４，２５，２６，２７が側壁部２８，２９より上下に同じ高さに延在し、外桁部材２に用いた側板１２を使用していない点を除く他の構成は、外桁部材２の構成に準ずる。
上下係止縁２４，２５，２６，２７には、図７に示す係止突片２２が切欠部１６，１７を設けることで形成され、片面荷台のパレットのときは下係止縁２６，２７は除かれている場合と、図５の例の如く両端部分と中央部分に係止突片２２と切欠部１６，１７を成形した場合があり、また、両面荷台のときは下係止縁は上係止縁２４，２５と同じ形状の対称構成とさせる。
【００１３】
図９に、図１の矢視IX−IXより見た構成を示す。外デッキ部材３は係止突片２２を覆うようにして切欠部１６，１７内に叩き込み圧入される。同様に内デッキ部材４も切欠部１６，１７内に叩き込み圧入される。
後述する図１１、図１２の係止状態の後では、図１０に示すように、上下のデッキ部材３，４の端面は側板１２，１５で塞がれ、その長手方向の動きは阻止され、左右の動きは係止縁により規制される。
【００１４】
図１１に外デッキ部材３の断面形状と、係止突片２２との係合状態を示す。
外デッキ部材３は、複数の並列状のすべり止めリブを一体に形成した荷受け面となる平坦な基板２８を有し、片方の下側部が傾斜面即ちフォークリフト爪を挿入案内するための案内面を形成した中空の台部２９と他方が断面方形の中空の台部３０を基板２８の左右に設ける。一方の台部２９の側面下部に下向きに開放される脚片３１を、他方の台部３０の側面下部に突片３２を設ける。
基板２８の中央部より下向きに垂下片３３を設け、外内桁部材２，５の係止突片２２に対し上方より交差状に挿入されるスリット３３ａを垂下片３３に設ける。スリット３３ａに係止突片２２を挿入することで外、内デッキ部材３，４の桁部材２，５に対する相対位置およびズレ防止が正しく確保される。
なお、スリット３３ａの底部を係止突片２２の上端位置に乗せ状態に支持してデッキ部材３，４の支持強度をさらに高めている。
【００１５】
外デッキ部材３の内外桁部材２，５への取り付けに際し、先ずは、一方の台部２９の脚片３１付きの突片３２の脚片３１を凹部２０に挿入し、次いで外デッキ部材３を傾けながら突部２１に脚片３１を係止させる。斜め上向きとなっている他方の台部３０を案内面１８に沿わせ切欠部１７内へ叩き込み、傾斜状の係止面１９に突片３２を係止させ、かつ、台部３０の下面を切欠部１７の底、すなわち上壁部６に係止させて上下動等を阻止する。脚片３１を有する突片３２の根元部を係止面１９に対し、微調整しながら係合関係を維持させ外れ防止をする。これにより、外、内デッキ部材３，４を内外桁部材２，５に上下左右、前後の各方面に対し強固に固定させ得る（図１１参照）。
垂下片３３のスリット３３ａが係止突片２２を受ける。他方の台部３０を切欠部１７内に叩き込むとき案内面１８が台部３０を下向きに正しく案内する。
【００１６】
図１２に示す如く、内デッキ部材４は、荷受け面となる基板３４と、その両側の中空の台部３５，３６を有し、台部３５，３６の向かい合う側面に、補強リブ２３を有した係止突片２２の係止面１９に係止する突片３７，３８を設ける。内デッキ部材４を桁部材２，５に取り付けたとき、両台部３５，３６は上下壁部６，７に当接し、荷の重みを受ける。
内デッキ部材４の内外桁部材２，５への取り付けに際し、一方の台部３５の突片３７を係止面１９に係止させ、他方の台部３６を上方から案内面１８を介して切欠部１７内へ叩き込み、その突片３８を補強リブ２３の下方の係止面１９に係止させる。これにより内デッキ部材４を内外桁部材２，５に強固に固定させる。突部２１は台部３５，３６の横方向の動きを阻止する。
なお、基板３４の中央部には破線で示した垂下片３３のスリット３３ａの底部を係止突片２２の上端に支持し、内デッキ部材４の支持強度を高める。
【００１７】
桁部材の係止縁の係止突片へのデッキ部材の叩き込み圧入は、パレットの組立作業を簡便化させる。桁部材の本体の平坦な上下壁部に係止縁を一体成形しているが、これは単純形状で製作が容易であり、係止縁への係止突片の設置は、デッキ部材の桁部材への相対位置決めを可能とさせ、ズレやゆがみを防止できる。
係止突片に設けたリブはデッキ部材の桁部材への係止部分の強度及び係止状態の強さを高める。係止突片の係止面へのデッキ部材の突片の係止は、案内面に沿う圧入作業により正しくなされる。
係合面と向かい合う突部はデッキ部材の台部自体と当接自在な強い係止であり、デッキ部材の積載荷重等による変形や、運搬等の衝撃によっても、デッキ部材の桁部材からの外れを防止できる。
脚片を突部に係合させることで、桁部材に対するデッキ部材の位置決めを容易で確実にし、外デッキ部材の叩き込み圧入作業後の係合状態を正しく行うことができると共に外れ防止のストッパともなる。
垂下片のスリットへ係止突片を挿入することで、デッキ部材の桁部材への位置決めを容易とさせ、また、両者のズレを防止し、ビス、ボルト等の別止具及び取付け作業を省略化させる。又、垂下片はデッキ部材の基板の荷による長手方向の曲げを阻止するのに役立つ。
【図面の簡単な説明】
【図１】本発明の一例のパレットの平面図である。
【図２】片面荷台の例の正面図である。
【図３】両面荷台の例の正面図である。
【図４】外桁部材の部分斜視図である。
【図５】桁部材の内側面図である。
【図６】外桁部材の断面図である。
【図７】係止突片を示す部分拡大図である。
【図８】内桁部材の断面図である。
【図９】図１の矢視IX−IXより見た断面図である。
【図１０】図１の矢視Ｘ−Ｘより見た断面図である。
【図１１】外デッキ部材の断面図である。
【図１２】内デッキ部材の断面図である。
【符号の説明】
１    パレット
２    外桁部材
３，４    デッキ部材
５    内桁部材
９    本体
１０，１１，１３，１４    係止縁
１２，１５    側板
１６，１７    切欠部
１８    案内面
１９    係止面
２０    凹部
２１    突部
２２    係止突片
２３    補強リブ
２４，２５，２６，２７    係止縁
２８，３４    基板
２９，３０，３５，３６    台部
３１    脚片
３２    突片
３３    垂下片
３７，３８    突片
【図１】
0003990925.tif 000002
【図２】
0003990925.tif 000003
【図３】
0003990925.tif 000004
【図４】
0003990925.tif 000005
【図５】
0003990925.tif 000006
【図６】
0003990925.tif 000007
【図７】
0003990925.tif 000008
【図８】
0003990925.tif 000009
【図９】
0003990925.tif 000010
【図１０】
0003990925.tif 000011
【図１１】
0003990925.tif 000012
【図１２】
0003990925.tif 000013